(57)【特許請求の範囲】
【請求項１】
容器本体の開口部に係合する取り付け部を有し、トリガの牽曳によるピストンの押圧動作とその牽曳の解除によるピストンの復帰動作を繰り替えすことによってノズルヘッドを通して容器本体内の内容物を噴射するようにしたトリガ式液体噴出器であって、
上記噴出器は、ノズルヘッドに、該ノズルヘッドとともに回動可能で、かつ、トリガの動きをロックすることによって内容物の噴射を停止するストッパーを備え、
このストッパーは、トリガの牽曳部位を覆って該トリガをロックするカバー部分と、このカバー部分につながり、ピストンを保持するシリンダの先端面に当接しピストンの作動を阻止することによって該トリガをロックするアーム部分とを備えた2重ロック形式であり、
該カバー部分はその表面に、トリガに沿って形成され、ストッパーによるロック状態でのトリガの牽曳を回避するフィンを有することを特徴とするトリガ式液体噴出器。
【請求項２】
ストッパーは、ノズルヘッドと一体成形されたものである、請求項１記載のトリガ式液体噴出器。
【請求項３】
ストッパーは、ノズルヘッドに覆いかぶさることによって固定保持されるカバータイプのものよりなる、請求項１記載のトリガ式液体噴出器。
【発明の詳細な説明】
【０００１】
【発明の属する技術分野】
本発明はトリガ式液体噴出器に関し、内容物の意に反する噴射や不用意な噴射を確実に防止しようとするものである。
【０００２】
トリガ式の液体噴出器は、トリガの牽曳によって押圧したピストンの復帰過程で、容器本体内に貯蔵してある内容物をピストンシリンダ内に呼び込み、この内容物をさらにピストンの押圧による高い圧力のもとに押し出すことによってノズルヘッド部のチップから噴射させる仕組みになっている。
【０００３】
かかるトリガ式の液体噴出器は、内容物の噴射を停止した状態においてもピストンシリンダ内には内容物が残存しており、内容物の噴射を意図しないにもかかわらず、トリガに僅かな力が作用した場合に内容物が排出してしまう不具合があり、とくに、内容物として液体洗剤やカビ取り剤が充てんされているようなものでは、幼児が誤ってトリガに触れて不用意に噴射してしまうことを確実に防ぐ必要がある。
【０００４】
トリガ式液体噴出器における意に反する噴射や不用意な噴射を回避する試みとして、例えば特公平８−２４８６１号公報には、引き金レバー作動器の引き金の操作を禁止するラッチ装置を設け、このラッチ装置に、引き金操作の禁止モードで、ポンプ本体と接触係合する延長部と、同じく、禁止モードでばね押圧力により延長部の接触係合を維持するタブと、引き金の操作を行う解除モードで、タブのばね押圧力に抗して回動され、延長部とポンプ本体との接触係合を解除する突起とを設た構造になる液体小出し装置が提案されている。
【０００５】
しかしながら、上記のような従来形式になる装置においては、噴出器そのものの構造の複雑化により組み立てに際して工数がかかるため生産性の面で難点があり、また、内容物の噴射に際してはラッチ装置の延長部がシリンダの自由端に接触して禁止モードにならないよう突起を上側もしくは下側に常に附勢しておく必要があることから、操作性がよいとはいえない。
【０００６】
本発明の課題は、構造の複雑化や操作性の悪化を招くことなく、簡便、かつ、確実にロック及びその解除ができる操作性に優れたトリガ式液体噴出器を提案するところにある。
【０００７】
【課題を解決するための手段】
本発明は、容器本体の開口部に係合する取り付け部を有し、トリガの牽曳によるピストンの押圧動作とその牽曳の解除によるピストンの復帰動作を繰り替えすことによってノズルヘッドを通して容器本体内の内容物を噴射するようにしたトリガ式液体噴出器であって、
上記噴出器は、ノズルヘッドに、該ノズルヘッドとともに回動可能で、かつ、トリガの動きをロックすることによって内容物の噴射を停止するストッパーを備え、
このストッパーは、トリガの牽曳部位を覆って該トリガをロックするカバー部分と、このカバー部分につながり、ピストンを進退自在に保持するシリンダの突端面に当接しピストンの作動を阻止することによって該トリガをロックするアーム部分とを備えた2重ロック形式であり、
該カバー部分はその表面に、トリガに沿って形成され、ストッパーによるロック状態でのトリガの牽曳を回避するフィンを有することを特徴とするトリガ式液体噴出器である。
【０００８】
上記の構成になる噴出器において、ストッパーは、ノズルヘッドと一体成形されたものとするか、あるいは、ノズルヘッドに覆いかぶさることによって固定保持されるカバータイプとするのが望ましい。
【０００９】
【発明の実施の形態】
本発明に従うトリガ式液体噴出器は、ノズルヘッドを回動させ、トリガの牽曳操作を行う部位と、ピストンの作動を阻止すべくそれを保持するシリンダの突端面にストッパーを同時に配置することによってトリガをロックする２重ロック形式としたので、内容物が簡単に噴出するようなことはない。
【００１０】
以下、図面を参照して本発明をより具体的に説明する。
図１（ａ）〜（ｃ）は本発明に従うトリガ式液体噴出器の構成をその側面、底面及び正面について示したものである。図において番号１は容器本体の開口部に例えばねじ止めによって係合することができる取り付け部、２は容器内の内容物を吸い上げるためのパイプ、３は内容物の噴射通路を備える噴出器本体、４は噴出器本体３に回動自在に取り付けられ、噴出器本体の噴射通路を経た内容物をその先端に設けられたノズルチップを介して外界に噴射するノズルヘッドである。
【００１１】
また、５はシリンダであって、このシリンダ５にはスプリングによって一定の位置に配置されるが、外力によってシリンダ５内において往復移動可能なピストン５ａが内挿されている。また、６は射出器本体２に揺動可能に保持されシリンダ５内に呼び込んだ内容物をピストン５ａを押圧することによって噴射するためのトリガ、７はノズルヘッド４に一体形成された例で示したストッパーである。このストッパー７はトリガ６の牽曳部位６ａを覆うカバー部分７ａとこのカバー部分７ａにつながりシリンダ５の突端に接触するアーム部分７ｂからなり、カバー部分７ａには、トリガ６に沿ってフィン７ｃが設けられている。
【００１２】
上掲図１（ａ）〜（ｃ）に示すように、本発明に従う噴出器は、ストッパー７のカバー部分７ａとアーム部分７ｂの二ヶ所でトリガ６の動き（牽曳）を阻止するので、内容物が意に反して噴射されたり、不用意に噴射されるようなことはない。また、ストッパー７によるロック状態でトリガ６を牽曳しようとしてもカバー部分７ａにはフィン７ｃが位置するので、触覚でもってロック状態にあることがわかるし、幼児等が無理やりトリガ６を動かそうとしてもここに力が集中するため痛みを伴いその試みを絶つのに役立つ。
【００１３】
ストッパー７によるロックの解除は、図２に示すように、ストッパー７をノズルヘッド４とともに回動させることにより行う。
【００１４】
上述のように、本発明においては、ストッパー７により、誤って内容物が噴射されるのを確実に防止することができるとともに、内容物を噴射させるに際しては、該ストッパー７のロックをノズルヘッド４の回動のみで簡単に解除することが可能なので、操作性に関しても極めてよい。
【００１５】
上掲図１では、ストッパー７をノズルヘッド４に一体的に設けた図３のような構造のものを例として示したが、図４に示すように、噴出口を除きノズルヘッド４の全面に覆いかぶさることによって固定保持されるカバータイプのものであってもよい。
【００１６】
図５はカバータイプのストッパー７のアーム部分７ｂに係合突子７ｃを設けた例である。トリガ６をロックする際、図６（ａ）（ｂ）に示す如く、シリンダ５に接するように係合突子７ｃを位置させることで、より確実なロックが可能になる。
【００１７】
図７にトリガ式液体噴出器の断面構造を示す。シリンダ５とピストン５ａとの間には、該ピストン５ａの初期位置を決定するためのスプリングｓが配置されていて、内容物を呼び込むための空間ｒが形成されている。ストッパー７によるロックを解除した状態でトリガ６の牽曳によりピストン５ａを押圧してシリンダ５の壁面に当接させ、その時点でトリガ６の牽曳を解除するとピストン５ａはスプリングｓの弾性力によって初期位置に復帰するが、この時、空間ｒは負圧になることから、容器本体内の内容物はパイプ２、チェック弁８及びポート９を経て空間ｒに流入する。
【００１８】
この状態からさらにトリガ６を牽曳してピストン５ａを押圧すると、空間ｒに流入した内容物はポート９から排出され、この際チェック弁８は閉状態に維持されることになるので、該内容物は噴出器本体３に設けられたバルブ１０、通路１１を通りノズルヘッド４を経てその先端に配置されたノズルチップ１２から外界へと噴出されることとなり、このトリガ６の牽曳と解除を繰り替え行うことにより内容物は連続的に噴出される。
【００１９】
【発明の効果】
本発明によれば、トリガ式液体噴出器においてトリガを確実にロックすることができるので内容物の意に反する噴出や不用意な噴射を防止できるし、また、ロックはノズルヘッドを回動させるだけで解除できるので操作性についても極めて優れる。
【図面の簡単な説明】
【図１】  本発明に従うトリガ式液体噴出器の構成説明図であって、（ａ）は側面を示したものであり、（ｂ）は底面を示したものであり、（ｃ）は正面を示したものである。
【図２】  トリガのロックを解除した状態を示した図である。
【図３】  ノズルヘッドと一体になったストッパーの例を示した図である。
【図４】  カバータイプのストッパーの例を示した図である。
【図５】  本発明に適用して好適なストッパーの他の例を示した図である。
【図６】  内容物の噴出要領の説明図である。
【図７】  トリガ式液体噴出器の断面構造を示した図である。
【符号の説明】
１  取り付け部
２  パイプ
３  噴出器本体
４  ノズルヘッド
５  シリンダ
６  トリガ
７  ストッパー
８  チェック弁
９  ポート
10  バルブ
11  通路
12  ノズルチップ
【図１】
0003958497.tif 000002
【図２】
0003958497.tif 000003
【図３】
0003958497.tif 000004
【図４】
0003958497.tif 000005
【図５】
0003958497.tif 000006
【図６】
0003958497.tif 000007
【図７】
0003958497.tif 000008